(57)【特許請求の範囲】
【請求項１】
剛性内歯車（２）と、
この剛性内歯車（２）の内側のコップ状あるいはシルクハット状の可撓性外歯車（３）と、
この可撓性外歯車（３）の軸直角断面をそのダイヤフラム（３２）側からその開口部（３３）にかけて前記ダイヤフラム（３２）からの距離にほぼ比例した撓み量を生ずるように楕円状に撓ませて、前記可撓性外歯車（３）の外歯（３４）をそのリムの楕円状曲線の長軸近傍の２箇所で前記剛性内歯車（２）の内歯と噛み合わせると共に、これら両歯車（２、３）の歯の噛み合い位置を円周方向に移動させる波動発生器（４）とを有し、
この波動発生器（４）の回転により両歯車（２、３）に相対回転を生じさせる波動歯車装置（１）において、
前記剛性内歯車（２）及び前記可撓性外歯車（３）を共に平歯車とし、
前記可撓性外歯車（３）の歯数を前記剛性内歯車（２）の歯数より２ｎ（ｎは正の整数）枚だけ少なくし、
前記可撓性外歯車（３）の歯筋方向における任意の箇所に選んだ軸直角断面を主断面とし、
この主断面において、楕円状に撓められた前記可撓性外歯車（３）のピッチ線に沿って現れる両歯車（２、３）の歯の噛み合い範囲の中央位置が、前記可撓性外歯車（３）の楕円状のリム中立線における長軸から離れた位置となるように定め、
この両歯車（２、３）の噛み合い範囲の中央位置を、前記リム中立線（ｃ）に引いた接線（ｘF）の傾斜角（θ）が０°＜θ＜４５°の範囲内となる当該リム中立線（ｃ）上の点Ｐで与え、
前記可撓性外歯車（３）の歯数をｚF、前記剛性内歯車（２）の歯数をｚC、前記可撓性外歯車（３）の楕円状に撓められる前のピッチ円半径をｒO、前記可撓性外歯車の楕円状に撓められる前のリム中立円の半径をｒnとし、
前記主断面において、前記可撓性外歯車（３）の外歯として、点Ｐを歯山中心線（ｙF）が通る一つの外歯（Ｔ）を想定し、当該外歯（Ｔ）に噛み合う剛性内歯車（２）の一つの内歯を想定し、これら外歯（Ｔ）および内歯の噛み合い接触点（Ｅ）を定め、
前記外歯（Ｔ）の前記噛み合い接触点（Ｅ）における歯形法線が前記歯山中心線に交わる点から前記の点Ｐまでの距離をｈとして、前記主断面における可撓性外歯車（３）の前記リム中立線の長軸上の撓み量ｗを次式で与え、
【数１】
0004165810.tif 000006
楕円状に撓められる前の前記可撓性外歯車（３）の前記リム中立円筒面において、当該リム中立円筒面上における前記の点Ｐに対応する点を通り、当該可撓性外歯車（３）の中心軸線に平行な平行中立母線を引き、前記可撓性外歯車（３）が楕円状に撓められることによって前記中心軸線に対して傾いた前記平行中立母線を傾斜中立母線として求め、この傾斜中立母線を前記中心軸線方向から前記主断面上に投影することにより、当該主断面上に形成される投影中立母線（ｇ）を求め、
この投影中立母線（ｇ）上の前記の点Ｐの位置において、当該投影中立母線（ｇ）に対する接線（ｔ）を求め、
前記外歯（Ｔ）および前記内歯の前記噛み合い接触点（Ｅ）における双方の歯形の共通接線の方向を、前記投影中立母線（ｇ）上の前記の点Ｐにおける前記接線（ｔ）の方向と一致させ、
前記主断面において、前記噛み合い接触点（Ｅ）における前記外歯Ｔおよび前記内歯の両歯形の曲率円のそれぞれの中心位置（Ａ、Ｂ）を、変速比歯車において成立するオイラー・サバリ式に基づいて設定することを特徴とする３次元偏位噛み合い歯形を有する波動歯車装置（１）。
【請求項２】
請求項１に記載の波動歯車装置（１）において、
前記投影中立母線（ｇ）が直線の場合には前記接線（ｔ）が当該投影中立母線（ｇ）に一致し、
前記外歯（Ｔ）および前記内歯の前記噛み合い接触点（Ｅ）における双方の歯形の前記共通接線の方向を、前記の点Ｐにおける前記投影中立母線（ｇ）の方向と一致させることを特徴とする３次元偏位噛み合い歯形を有する波動歯車装置（１）。
【請求項３】
請求項１または２に記載の波動歯車装置（１）において、
両歯車（２、３）の軸直角断面上の歯形に関し、前記剛性内歯車（２）の歯形主部の凹歯形をインボリュート曲線とし、前記可撓性外歯車（３）の歯形主部の凸歯形を円弧とし、その円弧半径を前記主断面で変速比歯車において成立するオイラー・サバリ式によって定まる、曲率円半径以下となるように設定することを特徴とする３次元偏位噛み合い歯形を有する波動歯車装置（１）。
【請求項４】
請求項１または２に記載の波動歯車装置（１）において、
両歯車（２、３）の軸直角断面上の歯形に関し、前記剛性内歯車（２）の歯形主部の凹歯形と、前記可撓性外歯車（３）の歯形主部の凸歯形を共に円弧とし、それらの円弧半径を前記主断面で変速比歯車において成立するオイラー・サバリ式によって定まるそれぞれの曲率円半径に対し、前記剛性内歯車（２）の凹円弧歯形の半径はそれ以上の値、前記可撓性外歯車（３）の凸円弧歯形の半径はそれ以下の値となるように設定することを特徴とする３次元偏位噛み合い歯形を有する波動歯車装置（１）。
【発明の詳細な説明】
【０００１】
【発明の属する技術分野】
本発明は、波動歯車装置の剛性内歯車および可撓性外歯車の歯の形状に関するものである。さらに詳しくは、長軸近傍における可撓性外歯車のリムの楕円変形による曲げ応力と歯面荷重によるリムの引張り応力との重畳を回避すると共に、可撓性外歯車の歯底リムの応力と波動発生器の玉荷重の分布を平均化して、その低減を図るのに適した両歯車の歯の形状に関するものである。
【０００２】
【従来の技術】
典型的な波動歯車装置は、円環状の剛性内歯車と、この内側に配置されたコップ状の可撓性外歯車と、この可撓性外歯車を楕円状に撓めて楕円状長軸方向の両端で両歯車を噛み合わせると共にこれらの噛み合わせ位置を円周方向に回転させる波動発生器とを備えている。コップ状の可撓性外歯車は、外歯が形成された可撓性の円筒状胴部と、この一端に連続して半径方向の内方に延びている円環状のダイヤフラムと、このダイヤフラムの中心に一体に形成された厚い円盤状ボスと、円筒状胴部の他端外周面に形成された外歯から形成されている。
【０００３】
外歯が形成されている円筒状胴部の内側に楕円状輪郭の波動発生器がはめ込まれて、当該外歯の形成部分が楕円状に撓まされた状態となっている。従って、円筒状胴部は、ダイヤフラムの側から外歯が形成されている開口端部にかけて、ダイヤフラムからの距離にほぼ比例した撓み量を生ずるように楕円状に撓まされている。この場合における両歯車の歯数差は２ｎ（ｎ：正の整数）枚とされ、一般には２枚とされている。
【０００４】
波動発生器をモータなどによって高速回転すると、両歯車の噛み合い位置が円周方向に移動して、両歯車の歯数差に応じて大幅に減速された回転が、可撓性外歯車あるいは剛性内歯車を介して取り出される。
【０００５】
ここで、可撓性外歯車としてはシルクハット状のものが知られており、この形状の可撓性外歯車は、円筒状胴部の一端から半径方向の外側に円環状のダイヤフラムが広がり、当該ダイヤフラムの外周縁に厚い円環状ボスが一体形成された構成となっている。この場合に、円筒状胴部は、ダイヤフラムの側から外歯が形成されている開口端部にかけて、ダイヤフラムからの距離にほぼ比例した撓み量が生ずるように楕円状に撓まされる。
【０００６】
ここで、波動歯車装置は創始者C．W．Musser氏の発明（米国特許第2,906,143号）以来、今日まで同氏を始め、本発明者を含め多くの研究者によって各種の発明がなされている。その歯形に関する発明に限っても、各種のものがある。その中で本発明者は、剛性内歯車と可撓性外歯車の歯の噛み合いをラックで近似する手法で、双方の広域接触を行う歯末歯形を導く歯形設計法を考案した。これ以後も本発明者及び他の研究者により、多くの歯形関連の発明がなされている。
【０００７】
【発明が解決しようとする課題】
現在、波動歯車装置の性能向上を望む市場の強い要求がある。特に負荷能力の向上が望まれている。波動歯車装置の負荷能力を支配する主な要素は、可撓性外歯車の歯底のリムと波動発生器の内輪転動面、特にその長軸付近の個所の疲労強度である。本発明はこの２個所に生ずる応力を軽減して、所期の目的を果たそうとするものである。
【０００８】
【課題を解決するための手段】
上記の目的を達成するため、本発明は次の二つの手法を用いる。即ち一つは、これまでコップ状あるいはシルクハット状の可撓性外歯車では、平歯車のままでは歯筋方向の連続的な噛み合いは実現できないとされてきたものを、可撓性外歯車の主噛み合い位置と撓み量とに応じて、歯形の圧力角を設定することにより、歯当たりを歯筋方向にも伸ばして、歯底リムの応力を低減する。
【０００９】
二つには、可撓性外歯車の歯筋方向における任意の個所に選んだ軸直角断面（主断面）における両歯車の歯の噛み合いに、可撓性外歯車の撓みを正規より減らした負偏位として歯の噛み合い領域の主部を楕円の長軸近傍から離すと共に、歯形の設計に変速比歯車において成立するオイラー・サバリ式を適用することにより、主断面内の歯形の連続接触、すなわち、両歯車の歯のピッチ線に沿って見た場合に、より多くの歯が同時に噛み合う状態を実現する。
【００１０】
本発明では、上記の両手法を併用することにより、長軸近傍における可撓性外歯車のリムの楕円変形による曲げ応力と歯面荷重によるリムの引張り応力との重畳を防ぐとともに、可撓性外歯車の歯底リムの応力と波動発生器の球荷重の分布を平均化して、その低減を図っているのである。
【００１１】
すなわち、本発明は、剛性内歯車と、その内側のコップ状あるいはシルクハット状の可撓性外歯車と、この可撓性外歯車の軸直角断面を、ダイヤフラム側から開口部にかけてダイヤフラムからの距離にほぼ比例した撓み量を生ずるように楕円状に撓ませて、その形状を回転させる波動発生器とを有し、この波動発生器の回転により両歯車に相対回転を生じさせる波動歯車装置において、次のようにして、両歯車の歯形の主部を規定している。
【００１２】
まず、剛性内歯車及び可撓性外歯車の基本を共に平歯車として、可撓性外歯車の歯数を剛性内歯車の歯数より２ｎ（ｎは正の整数）枚少なくする。
【００１３】
また、可撓性外歯車の歯筋方向における任意の箇所に選んだ軸直角断面を主断面とし、この主断面において、楕円状に撓められた可撓性外歯車のピッチ線に沿って現れる両歯車の歯の噛み合い範囲の中央位置が、可撓性外歯車の楕円状のリム中立線における長軸から離れた位置となるように定める。そして、この両歯車の噛み合い範囲の中央位置を、リム中立線に引いた接線の傾斜角が０°＜θ＜４５°の範囲内となる当該リム中立線上の点Ｐで与える。また、可撓性外歯車の歯数をｚF、前記剛性内歯車の歯数をｚC、前記可撓性外歯車の楕円状に撓められる前のピッチ円半径をｒO、前記可撓性外歯車の楕円状に撓められる前のリム中立円の半径をｒnとし、前記可撓性外歯車の外歯として、点Ｐを歯山中心線が通る一つの外歯（Ｔ）を想定し、当該外歯（Ｔ）に噛み合う剛性内歯車（２）の一つの内歯を想定し、これら外歯（Ｔ）および内歯の噛み合い接触点（Ｅ）を定め、前記外歯（Ｔ）の前記噛み合い接触点（Ｅ）における歯形法線が前記歯山中心線に交わる点から前記の点Ｐまでの距離をｈとして、前記主断面における可撓性外歯車の前記リム中立線の長軸上の撓み量ｗを次式（４）で与える。
【００１４】
【数２】
0004165810.tif 000002
【００１５】
これによって、主断面内の噛み合いの主領域の中心に位置する両歯車の歯形の噛み合い接触点における歯形の共通接線方向を、リム中立円筒面の直線母線を軸方向に主断面に投影して得られる投影中立母線の該接触点における接線方向に一致させて、歯筋方向に連続接触を行なわせる。
【００１６】
さらに、主断面における噛み合いの該接触点における両歯形の曲率円のそれぞれの中心位置を、変速比歯車において成立するオイラー・サバリ式に基づいて設定する。
【００１７】
これにより、可撓性外歯車の主断面で、長軸を離れた噛み合い領域で歯形の連続的な噛み合い状態、すなわち、両歯車の歯のピッチ線に沿って多数の歯が同時に接触する噛み合い状態を形成するようにしている。
【００１８】
ここで、両歯車の軸直角断面上の歯形に関し、剛性内歯車の歯形主部の凹歯形をインボリュート曲線とし、可撓性外歯車の歯形主部の凸歯形を円弧とした場合には、その円弧半径を、前記主断面で変速比歯車において成立するオイラー・サバリ式によって定まる、曲率円半径以下となるように設定すればよい。
【００１９】
または、両歯車の軸直角断面上の歯形に関し、剛性内歯車の歯形主部の凹歯形と可撓性外歯車の歯形主部の凸歯形を共に円弧とした場合には、それらの円弧半径を、前記主断面で変速比歯車において成立するオイラー・サバリ式によって定まるそれぞれの曲率円半径に対し、剛性内歯車の凹円弧歯形の半径はそれ以上の値、可撓性外歯車の凸円弧歯形の半径はそれ以下の値となるように設定すればよい。
【００２０】
【発明の効果】
上述のとおり、本発明によれば、歯筋に沿った歯当たりを実現することができ、かつ主断面で、両歯車の歯の噛み合いの主領域を楕円状可撓性外歯車の長軸を離れた位置に設定し、変速比歯車で成立するオイラー・サバリの定理を用いる歯形設計により、主断面内の歯形の連続的な噛み合い状態、すなわち、両歯車の歯のピッチ線に沿って見た場合に、より多数の歯が同時に噛み合う状態を形成することを可能としている。従って、これらの効果により、可撓性外歯車のリムに生ずる歯の噛み合いによる応力を低減し、かつ楕円変形による長軸近傍の曲げ応力と歯の噛み合いによる引張り応力との重畳を避け、かつ波動発生器の球荷重分布の極大値も長軸近傍を避けた分布となるので、波動歯車装置の負荷能力を大きく高めることができる。
【００２１】
また、変速比歯車で成立するオイラー・サバリの定理を用い、歯面圧を低減する凸歯形と凹歯形の噛み合いを可能とすることによって、歯面の潤滑機能を高め、同装置の耐久性を増すことができる。
【００２２】
【発明の実施の形態】
以下に、図面を参照して、本発明による波動歯車装置の両歯車の歯形の設定方法を説明する。
【００２３】
まず、図１は、典型的な波動歯車装置を示す正面図であり、この波動歯車装置１は、その可撓性外歯車３と剛性内歯車２の歯数差が２枚（ｎ＝１）である。可撓性外歯車３の内側には楕円状輪郭の波動発生器４が嵌め込まれており、この波動発生器４は、楕円状輪郭の剛性カム板４１と、その外周面に嵌めたウエーブベアリング４２から構成されている。
【００２４】
図２は、その可撓性外歯車３の開口部を楕円状に撓ませた状況を含軸断面で示したものであり、その（ａ）は変形前の姿、（ｂ）は楕円の長軸を含む断面、（ｃ）は楕円の短軸を含む断面である。可撓性外歯車３は、円筒状胴部３１と、この一端に連続している円環状ダイヤフラム３２と、胴部他端の開口部３３側の外周面部分に形成されている外歯３４から形成されている。コップ状の可撓性外歯車では、そのダイヤフラム３２が実線で示すように胴部３１から半径方向の内方に延びており、シルクハット状の可撓性外歯車では、そのダイヤフラム３２Ａが破線で示すように胴部３１から半径方向の外方に延びている。
【００２５】
次に、この波動歯車装置１において、剛性内歯車と可撓性外歯車の歯数差ｚC−ｚFが２ｎ（ｎは正の整数）で、可撓性外歯車のリム中立線の形状を、半径がｒnの真円に全振幅２κｍ（κは撓み係数、ｍはモジュール）のｎ波長の波を重畳した接線極座標による次式（１）で与えられる近似の楕円状であるとする。この場合における両歯車の歯形の設定方法を、図３ないし５を参照しながら説明する。
【００２６】
ｐ＝ｒn＋ｗｃｏｓ（２θ）  （０≦θ≦２π）        …(１）
ここにｐ ：座標原点Ｏからリム中立線の接線に下ろした垂線の長さ
ｒn：リム中立線の変形前の真円の半径
ｗ ：リム中立線の長軸及び短軸上の撓み量（ｗ＝κｍ）
θ ：リム中立線の接線(法線)の短軸(長軸)に対する傾き角
【００２７】
また、撓み係数κは次の意味を有している。可撓性外歯車のピッチ円直径ｍｚFを、減速比Ｒ（＝ｚF／（ｚC−ｚF））で除した値ｄo＝ｍｚF／Ｒ＝ｍ（ｚC−ｚF）を正規の撓み量と呼び、この正規の撓み量より大きい撓み量の状態を正偏位、小さい撓み量の状態を負偏位、正規の撓み量の状態を無偏位と呼び、それぞれの撓み量ｄを正規の撓み量ｄoで除した値が撓み係数κである。すなわち、κ＞１の場合が正偏位、κ＝１の場合が無偏位、κ＜１の場合が負偏位である。
【００２８】
図３は、可撓性外歯車の胴部の中立曲面の開口部よりダイヤフラム部に至る、主断面（例えば、図２の線分５で示す位置の軸直角断面）を含む複数の軸直角断面上のリム中立曲線を、主断面上に軸方向に投影した図である。同図で真円はダイヤフラム部、曲線ｃは主断面、曲線ｅは開口部のそれぞれの断面のリム中立曲線の投影を示し、ｗは両歯車ｚC、ｚFに応じて定める主断面の撓み量を示す。図中の複数の直線ｆは、変形前の円筒を呈したリム中立曲面（リム中立円筒面）の円筒母線の数箇所の投影を示したものである。
【００２９】
先ず、主断面において、両歯車の主噛み合い領域の代表点Ｐ（すなわち、可撓性外歯車のピッチ線に沿って現れる両歯車の歯の噛み合い範囲のほぼ中央位置の点Ｐ）を、可撓性外歯車の楕円状のリム中立線ｃ上において、その長軸を離れた位置に定める。すなわち、撓み量ｄが負偏位となるように設定されており、これにより、主断面において、楕円状に撓められた可撓性外歯車のピッチ線に沿って現れる両歯車の歯の噛み合い範囲の中央位置が、可撓性外歯車の楕円状のリム中立線における長軸から離れた位置となっている。この両歯車の噛み合い範囲の中央位置を、リム中立線に引いた接線の傾斜角θが０°＜θ＜４５°の範囲内となる当該リム中立線上の点Ｐで与える。
【００３０】
次に、点Ｐを通る投影中立母線ｇを引き、点Ｐにおける該投影中立母線ｇの接線ｔを引く。すなわち、楕円状に撓められる前の可撓性外歯車３のリム中立円筒面において、当該リム中立円筒面上における点Ｐに対応する点を通り、当該可撓性外歯車３の軸方向に平行な平行中立母線を引く。次に、可撓性外歯車３が楕円状に撓められることによってその軸方向に対して傾いた平行中立母線を傾斜中立母線として求める。この傾斜中立母線を軸方向から主断面上に投影することにより、当該主断面上に形成される投影中立母線ｇを求める。そして、この投影中立母線ｇ上の点Ｐの位置において、当該投影中立母線ｇに接線ｔを引く。接線ｔの長軸に対する傾き角λは、リム中立線上の定点の軌跡を使ってθの関数として次式（２）で求められる。なお、投影中立母線ｇが直線となる場合には、点Ｐの位置に引いた接線ｔは当該投影中立母線ｇに一致する。図３においては、投影中立母線ｇが直線の場合を示してあり、双方線が単一の線として描かれている。この場合には、傾き角λは、投影中立母線（直線）の長軸に対する角度になる。
【００３１】
【数３】
0004165810.tif 000003
【００３２】
本発明の主眼の一つは、この投影中立母線ｇの接線ｔが両歯形の噛み合い接触点における歯形の共通接線と一致するように、両歯形の圧力角を定めることにある（図３に示すように、投影中立母線ｇが直線の場合には、当該投影中立母線ｇが両歯形の噛み合い接触点における歯形の共通接線と一致するように、両歯形の圧力角を定めることにある。）。これは主断面の前後における歯筋に沿った可撓性外歯車の歯形が接線ｔに沿って位置するようにすると、歯筋方向の噛み合いがほぼ実現できるということに基づくものである。即ち歯筋に沿っての可撓性外歯車の歯形の移動を想念するとき、この条件があれば、歯筋方向の噛み合いが実現できることになる。この条件が満たされなければ、両歯形は主断面から軸方向に離れるに従って、歯形が食い込むか、離れるかして、歯筋方向の歯当たりは得られなくなる。
【００３３】
図４は、主断面の主噛み合い領域における両歯車の歯の接触点Ｅにおける相対運動の関係を示す説明図である。
【００３４】
ここで、点Ｅにおける剛性内歯車の歯形法線が、可撓性外歯車の一歯と剛性内歯車の歯とが噛み合うときの相対運動の瞬間中心Ｑを通ることが、点Ｅがこの位置で噛み合うための必要条件である。この条件を導入すると、θを与えるとき、自ずと撓み量ｗが定まることになる。即ち主噛み合い領域を決める主断面のリム中立線上で、リム中立線の接線の傾斜角θと可撓性外歯車の撓み量ｗとは関連した変数で、両者の関係は以下の考察から導かれる。
【００３５】
θの位置に該当する可撓性外歯車の一歯Ｔに、リム中立線と歯山中心線（これはリム中立線への法線ｌRと一致する）の交点Ｐを原点とする座標軸ｘF、ｙFを設ける。波動発生器を固定し、可撓性外歯車で剛性内歯車を駆動する場合を考える。点Ｐでのリム中立線の法線ｌR上にある中立線の曲率中心Ｃは、この瞬間における可撓性外歯車の一歯Ｔの動きの瞬間中心である。このときの歯Ｔの瞬間回転速度は、可撓性外歯車の定常回転速度から定まるリム中立線の周速から求められる。一方剛性内歯車の回転は定常的で、その中心は原点Ｏであり、その瞬間回転速度は、通常の歯車と同様、可撓性外歯車の定常回転速度との比が歯数比の逆数に等しいという関係にある。
【００３６】
従って、可撓性外歯車の一つの外歯Ｔと剛性内歯車の相対運動の瞬間中心ＱはＯＣの延長線上、ＯＣを両者の瞬間回転速度の逆比に外分する位置にある。可撓性外歯車の歯の接触点Ｅと点Ｑを結ぶと、ＱＥは歯形の接触法線となる。以上のことから、点Ｅにおける接触法線の横軸となす角ξは、可撓性外歯車の歯元のたけ、すなわち、外歯Ｔの噛み合い接触点Ｅにおける歯形法線がその歯山中心線に交わる点から点Ｐまでの距離をｈとして、次式（３）で求められる。
【００３７】
【数４】
0004165810.tif 000004
【００３８】
ここで、ξ＝λという条件をつけると、上述のｗとθの関係が次式（４）のように求められる。
【００３９】
【数５】
0004165810.tif 000005
【００４０】
次に、Ｑで互いに接する、両者の運動を表す両者それぞれに固定したピッチ曲線（通常の歯車のピッチ円に当たる）を考え、点Ｑでの両ピッチ曲線に共通の接線ｌとＯＱとのなす角をψとし、ＱＥと角ψをなす直線ｓを引く。このｓ上に点Ｒを取り、ＲをそれぞれＣ、Ｏと結び、その延長線とＱＥとの交点をそれぞれＡ、Ｂとする。このとき点Ａ、Ｂが可撓性外歯車と剛性内歯車の歯形のＥ点における曲率中心となることが、変速比歯車で成立するオイラー・サバリの定理であり、本発明もこの事実に着眼する。本図は点Ａ、Ｂがともに点Ｅの片側にあるように点Ｒを選んだ場合である。この場合は可撓性外歯車の歯形が凸歯形で、剛性内歯車の歯形が凹歯形となる。
【００４１】
上記のことから、可撓性外歯車と剛性内歯車の歯形として、それぞれＥＡ、ＥＢを半径とし、Ａ、Ｂを中心とする曲率円を有する歯形を採用すれば、変速比歯車で成立するオイラー・サバリの定理によって、Ｅ点近傍の噛み合いの条件が満たされることになる。Ｅ点を離れた個所に関しては、干渉を避けるため、必要に応じ、凸円弧半径は小さく、凹円弧半径は大きく修正する。なお歯先同士の干渉を避けるため、適宜片方乃至双方の歯先に修整を施すことにより円滑な噛み合いを実現する。
【００４２】
上記の主断面における歯形の設定法は本発明者の既発明にも見られるものであるが、本発明はさらに前述の歯筋方向にも歯当たりを保証する新たな考案を付加したものである。
【００４３】
図５は本発明による歯形の噛み合いの一例を示したものである。図は歯数がｚF＝６０、ｚC＝６２で、主断面の撓み係数がκ＝０．６６６、主噛み合い領域を示す角がθ＝２５°の場合である。
【００４４】
以上により、主断面を含む各断面の噛み合いは、長軸を離れた個所（予め与えた傾斜角θを有する主断面のリム中立線の接線の個所）を中心として行われる。従って可撓性外歯車のリムの楕円変形による曲げ応力が最大となる長軸の個所に歯の噛み合いによる応力が重畳されることはなく、主断面における歯の噛み合いによる応力は楕円変形による曲げ応力が減少する個所に現われ、歯筋方向にも歯当たりが広がる効果と相俟って、それだけ可撓性外歯車の負荷能力を高めることとなる。
【００４５】
更に本発明は、歯にかかる荷重の半径方向の成分がその歯の下部にある波動発生器の球にかかるので、波動発生器の球荷重の分布にも好影響を与える。即ち楕円変形による長軸近傍の最大曲げ応力の生起は波動発生器の内輪についても同様であり、その個所への球荷重の重畳を回避できるからである。
【図面の簡単な説明】
【図１】  典型的な波動歯車装置の一例を示す概略正面図である。
【図２】  コップ状あるいはシルクハット状可撓性外歯車の撓み状況を含軸断面で示す説明図であり、（ａ）は変形前の状態、（ｂ）は該歯車の長軸を含む断面であり、（ｃ）は該歯車の短軸を含む断面である。
【図３】  歯筋方向の歯当たりを実現する手法の説明図である。
【図４】  歯形形成のもととなる可撓性外歯車と剛性内歯車の噛み合いの機構学的関係を示す説明図である。
【図５】  本発明による歯形の噛み合いの一例を示すものである。
【符号の説明】
１    波動歯車装置
２    剛性内歯車
３    可撓性外歯車
４    波動発生器
５    軸直角断面（主断面位置）
３２  ダイヤフラム
３３  開口部
３４  外歯
【図１】
0004165810.tif 000007
【図２】
0004165810.tif 000008
【図３】
0004165810.tif 000009
【図４】
0004165810.tif 000010
【図５】
0004165810.tif 000011